(57)【要約】【課題】回路規模を増大することなく、待機状態における消費電力を削減し、さらには年間消費電力の低減にも貢献する。【解決手段】テレビジョン１００は、フライバックコンバーターとしての電源回路２４を備えており、通常状態では、フライバックトランスであるトランス２４ｅの２次巻線Ｃ２ａより出力されるフライバック電圧Ｖｆｌｙ１を利用して生成した電源電圧を負荷に供給し、待機状態では、トランス２４ｅの２次巻線ｃ２ｂより出力されるフォワード電圧Ｖｆｏｒ２を利用して生成した電源電圧を負荷に供給する。【選択図】図２
2012182955.tif 000002
【特許請求の範囲】
【請求項１】
フライバックコンバーターを備える電気機器において、
通常状態では、フライバックトランスの２次巻線より出力されるフライバック電圧を利用して生成した電源電圧を負荷に供給し、
待機状態では、前記２次巻線より出力されるフォワード電圧を利用して生成した電源電圧を負荷に供給する
ことを特徴とする電気機器。
【請求項２】
前記フォワード電圧の正負を反転させる正負反転回路を備え、
前記正負反転回路にて正負反転された前記フォワード電圧が前記電源電圧として前記負荷に供給される請求項１に記載の電気機器。
【請求項３】
前記正負反転回路は、負極を前記２次巻線の負極に接続した第１の電解コンデンサと、カソードを前記第１の電解コンデンサの正極に接続されアノードをグランドに接続された第１のダイオードと、アノードを前記第１の電解コンデンサの正極に接続された第２のダイオードと、正極を前記第２のダイオードのカソードに接続されアノードをグランドに接続された第２の電解コンデンサと、を備え、
前記第２の電解コンデンサの正極に発生する電圧が前記電源電圧として前記負荷に供給される請求項２に記載の電気機器。
【請求項４】
前記待機状態において前記電源電圧の供給対象となる負荷に流れる電流は、約１３．８ｍＡ以下である請求項１〜請求項３のいずれか１項に記載の電気機器。
【請求項５】
負極を前記２次巻線の負極に接続した第１の電解コンデンサと、カソードを前記第１の電解コンデンサの正極に接続されアノードをグランドに接続された第１のダイオードと、アノードを前記第１の電解コンデンサの正極に接続された第２のダイオードと、正極を前記第２のダイオードのカソードに接続されアノードをグランドに接続された第２の電解コンデンサと、により構成され、前記第２の電解コンデンサの正極に前記フォワード電圧の正負を反転させた電圧を発生する正負反転回路を備え、
前記電気機器は、前記フォワード電圧の正負を反転させた電圧を前記電源電圧として前記負荷に供給し、
前記待機状態において前記電源電圧の供給対象となる負荷に流れる電流は、約１３．８ｍＡ以下である請求項１に記載の電気機器。
【発明の詳細な説明】
【技術分野】
【０００１】
本発明は電気機器に関し、特にフライバックコンバーターを備える電気機器に関する。
【背景技術】
【０００２】
昨今では、家電だけでなくあらゆる電気機器において省電力が必須課題であり、その要求水準は年々厳しくなっている。例えば、日本のテレビにおけるスタンバイ時の省電力は０．１Ｗが必須であり、年間消費電力を下げる目的でスタンバイモードでの更なる省電力化を求められている。電源回路の省電力化にかかる技術として以下の特許文献１〜３が開示されている。
【０００３】
特許文献１には、１つの１次巻線と２つの２次巻線とを備えるトランスを備え、第１の２次巻線が１次巻線との間でフライバックコンバーターを形成し、第２の２次巻線が１次巻線との間でフォワードコンバーターを形成している電源装置について開示されている。当該電源装置においては、第１の２次巻線から取り出されるフライバック電力を通常電力とし、第２の２次巻線から取り出されるフォワード電力を待機電力として利用している。フライバック電圧は１次巻線の通電時間が短くなると出力電圧が低下するが、フォワード電力は１次巻線の通電時間が短くなっても出力電圧をほぼ一定に維持できるため、電力消費を抑制した状態で待機電力を供給できる。
【０００４】
特許文献２には、フォワード方式のコンバータートランスの２次側にダイオードとコンデンサのフライバック回路を設け、負荷電流が所定値以下になった時にフライバック方式に切替えてコンバータートランスに蓄積されたエネルギーをフライバック出力として取り出すスイッチング電源装置について開示されている。当該スイッチング電源装置は、仮に大電力負荷に対応して設計されていても、負荷変動が激しく、使用状態のほとんどがスタンバイで小電力の場合においても省電力を実現可能になっている。
【０００５】
特許文献３には、１つのトランスの２次側に２つの２次巻線を設け、一方の２次巻線に対してフライバック方式の整流回路を設け、他方の２次巻線に対してフォワード方式の整流回路を設けることにより、１つのトランスを用いてフォワード方式とフライバック方式の２方式で多出力型スイッチング電源について開示されている。当該スイッチング電源によれば、電源の効率を向上することができる。
【先行技術文献】
【特許文献】
【０００６】
【特許文献１】特開２０００−２０９８５９号公報
【特許文献２】特開平６−６２５６８号公報
【特許文献３】公開実用平成４−３５６８３号公報
【発明の概要】
【発明が解決しようとする課題】
【０００７】
上述した従来の各種電源回路においては待機状態における省電力化が不十分であり、又、回路規模の縮小に工夫の余地があった。
【０００８】
本発明は上記課題に鑑みてなされたものであり、回路規模を増大することなく待機状態における消費電力を削減し、さらには年間消費電力の低減にも貢献することが可能なフライバックコンバーターを備えた電気機器の提供を目的とする。
【課題を解決するための手段】
【０００９】
上記課題を解決するために、本発明の請求項１にかかる電気機器は、フライバックコンバーターを備えており、通常状態では、フライバックトランスの２次巻線より出力されるフライバック電圧を負荷の電源電圧として供給し、待機状態では、前記２次巻線より出力されるフォワード電圧を負荷の電源電圧として供給する構成とされる。
【００１０】
前記フライバックコンバーターでは、１つの２次巻線からフライバック電圧とフォワード電圧を出力可能となっている。よって回路規模を増大せずに、フライバック電圧とフォワード電圧とを通常状態と待機状態とに使い分けることができる。よって、待機状態における消費電力を削減し、さらには年間消費電力の低減にも貢献できる。
【００１１】
また、本発明の選択的な一態様は、前記フォワード電圧の正負を反転させる正負反転回路を備え、前記電気機器は、前記正負反転回路にて正負反転された前記フォワード電圧を前記電源電圧として前記負荷に供給する構成とされる。
当該構成によれば、予め正負反転したフォワード電圧が負荷に供給されるため、負荷にてフォワード電圧を正負反転させたり、負電圧で駆動する構成としたりする必要が無い。
【００１２】
また、本発明の選択的な一態様は、前記正負反転回路は、負極を前記２次巻線の負極に接続した第１の電解コンデンサと、カソードを前記第１の電解コンデンサの正極に接続されアノードをグランドに接続された第１のダイオードと、アノードを前記第１の電解コンデンサの正極に接続された第２のダイオードと、正極を前記第２のダイオードのカソードに接続されアノードをグランドに接続された第２の電解コンデンサと、を備え、前記第２の電解コンデンサの正極に発生する電圧を前記電源電圧として前記負荷に供給する構成とされる。
当該構成によれば、フォワード電圧を正負反転する回路をシンプルな回路構成で実現できる。
【００１３】
また、本発明の選択的な一態様は、前記電源電圧の供給対象となる負荷に流れる電流が約１３．８ｍＡ以下の場合は、前記フライバック電圧を利用して生成した電源電圧を負荷に供給し、前記電源電圧の供給対象となる負荷に流れる電流が約１３．８ｍＡより大きい場合は、前記フォワード電圧を利用して生成した電源電圧を負荷に供給する構成とされる。
当該構成によれば、確実に待機動作時における待機電力を削減することができる。
【００１４】
また、本発明の選択的な一態様は、負極を前記２次巻線の負極に接続した第１の電解コンデンサと、カソードを前記第１の電解コンデンサの正極に接続されアノードをグランドに接続された第１のダイオードと、アノードを前記第１の電解コンデンサの正極に接続された第２のダイオードと、正極を前記第２のダイオードのカソードに接続されアノードをグランドに接続された第２の電解コンデンサと、により構成され、前記第２の電解コンデンサの正極に前記フォワード電圧の正負を反転させた電圧を発生する正負反転回路を備え、前記電気機器は、前記フォワード電圧の正負を反転させた電圧を前記電源電圧として前記負荷に供給し、前記待機状態において前記電源電圧の供給対象となる負荷に流れる電流は、約１３．８ｍＡ以下である構成とされる。
【発明の効果】
【００１５】
以上説明したように本発明によれば、回路規模を増大することなく、待機状態における消費電力を削減し、さらには年間消費電力の低減にも貢献することが可能なフライバックコンバーターを備えた電気機器を提供することができる。
請求項２にかかる発明によれば、予め正負反転したフォワード電圧が負荷に供給される。
請求項３にかかる発明によれば、フォワード電圧を正負反転する回路をシンプルな回路構成で実現できる。
請求項４にかかる発明によれば、確実に待機状態における待機電力を削減することができる。
請求項５のようなより具体的な構成によれば請求項１〜請求項４の各発明と同様の作用を奏する。
【図面の簡単な説明】
【００１６】
【図１】スイッチング電源回路を備えたテレビジョンの概略構成を示すブロック図である。
【図２】電源回路の一例にかかる構成を示す回路図である。
【図３】負荷に流れる電流値と電力変換効率の関係をプロットしたグラフである。
【発明を実施するための形態】
【００１７】
以下、下記の順序に従って本発明の実施形態を説明する。
（１）本実施形態の構成：
（２）電源回路の構成：
（３）まとめ：
【００１８】
（１）本実施形態の構成： 
図１は、本発明の実施形態にかかるスイッチング電源回路を備えたテレビジョンの概略構成を示すブロック図である。同図に示すテレビジョンは、本実施形態において電気機器を構成する。なお、本発明における電気機器は、アナログ回路のみならずＩＣ（Integrated Circuit）のような電子回路を含んだ機器も含むものとする。
【００１９】
図１に示すように、テレビジョン１００は、チューナー１０、映像処理部１２、表示部１４、音声処理部１６、スピーカー１８、メインマイコン２０、サブマイコン２２、電源回路２４、リモコン２６、等を備えている。電源回路２４には、外部から、例えば商用の交流電源が入力れており、当該交流電源を利用して生成した各種の電源電圧をテレビジョン１００の各部へ供給している。なお、図１ではメインマイコン２０とサブマイコン２２への電源電圧の供給のみを図示して有る。チューナー１０、映像処理部１２、表示部１４、音声処理部１６、スピーカー１８、メインマイコン２０、サブマイコン２２は、本実施形態において電源回路２４の負荷を構成する。
【００２０】
テレビジョン１００においては、リモコン２６に対してユーザーが行う操作入力に従って電源のオンオフを切換可能である。電源のオンとはテレビジョン１００の画面に映像を表示している通常状態であり、電源のオフとはテレビジョン１００の画面に映像を表示せずにリモコン２６に対する操作入力を待機している待機状態である。
【００２１】
通常状態のテレビジョン１００において、ユーザーがリモコン２６に対して待機状態への移行を指示する操作入力を行うと、リモコン２６から待機状態への切換を指示する信号が入力され、テレビジョン１００は通常状態から待機状態へ移行する。
待機状態に移行すると、電源回路２４は、メインマイコン２０を含むテレビジョン１００の大半（以下、メインマイコン２０等と記載する）に対して供給する電源電圧を低下させ、メインマイコン２０等の動作を停止させる。また、待機状態において、電源回路２４は、サブマイコン２２に対して供給する電源電圧をサブマイコン２２が動作可能なレベルに維持する。なお、本実施形態では、サブマイコン２２が、リモコン２６からテレビジョン１００の本体へ送信される信号を受信する機能を有しているものとする。
【００２２】
待機状態のテレビジョン１００において、ユーザーがリモコン２６に対して通常状態への移行を指示する操作入力を行うと、リモコン２６から通常状態への切換を指示する信号が入力され、テレビジョン１００は待機状態から通常状態へ移行する。
通常状態へ移行すると、電源回路２４は、サブマイコン２２の制御に従いメインマイコン２０等に供給する電源電圧を上昇させ、メインマイコン２０等の動作を再開させる。
【００２３】
（２）電源回路の構成： 
図２は、電源回路２４の一例にかかる構成を示す回路図である。同図に示す電源回路は、本実施形態においてフライバックコンバーターを構成する。
同図において、電源回路２４は１次側に、整流回路２４ａ、平滑回路２４ｂ、スイッチング素子２４ｃ、スイッチング制御部２４ｄ、フライバックトランス２４ｅ（１次巻線Ｃ１）、フィードバック回路２４ｈ（後述するフォトカプラの受光素子）、を備えている。
また、電源回路２４は２次側に、フライバックトランス２４ｅ（主たる２次巻線Ｃ２ａ、補助的な２次巻線Ｃ２ｂ）、整流回路２４ｆ、平滑回路２４ｇ、フィードバック回路２４ｈ（フォトカプラの受光素子を除く）、状態切換回路２４ｉ、整流回路２４ｊ、反転整流回路２４ｋ、を備えている。
【００２４】
整流回路２４ａは、外部から入力される交流電源を整流する回路であり、例えば、ダイオードにより構成することができる。
【００２５】
平滑回路２４ｂは、整流回路２４ａの出力する直流からリップルを除去する回路であり、例えば、平滑用の電解コンデンサにより構成することができる。
【００２６】
スイッチング素子２４ｃは、フライバックトランス２４ｅの１次巻線Ｃ１に対する整流平滑された直流の印加をオンオフする素子であり、例えば、ＦＥＴ（電界効果トランジスタ）により構成することができる。
【００２７】
スイッチング制御部２４ｄは、スイッチング素子２４ｃのオンオフをスイッチング制御するものであり、例えば電源制御ＩＣにより構成することができる。むろん、スイッチング制御部２４ｄは、他励式に限るものではなく自励式であってもよい。
【００２８】
整流回路２４ｆは、２次巻線Ｃ２ａから出力されるフライバック電圧Ｖｆｌｙ１を整流する回路であり、例えば、ダイオードにより構成することができる。
【００２９】
平滑回路２４ｇは、整流回路２４ｆの出力する直流からリップルを除去する回路であり、例えば、平滑用の電解コンデンサにより構成することができる。
【００３０】
フィードバック回路２４ｈは、１次巻線Ｃ１から出力されるフライバック電圧Ｖｆｌｙ１の変動を１次側のスイッチング制御部２４ｄへフィードバックする。
具体的には、フィードバック回路２４ｈは、例えば、フォトカプラの発光素子２４ｈ１とツェナダイオード２４ｈ２により構成することができる。ツェナダイオード２４ｈ２は、カソードをフライバック電圧Ｖｆｌｙ１の伝送ラインに向け、アノードをグランドに向けて配置されており、フォトカプラの発光素子（例えば発光ダイオード）とツェナダイオードは直列接続によりフライバック電圧Ｖｆｌｙ１の伝送ラインとグランドの間を接続している。
ツェナダイオード２４ｈ２は、フライバック電圧Ｖｆｌｙ１が所定値を超えると降伏し、フォトカプラの発光素子２４ｈ１は、ツェナダイオード２４ｈ２が降伏すると発光するようになっている。この発光を受光素子（例えば、フォトトランジスタ）が受光し、スイッチング制御部２４ｄにフィードバック信号が入力される。
スイッチング制御部２４ｄは、フィードバック回路２４ｈからフィードバック信号が入力されるとスイッチング素子２４ｃのスイッチング制御を停止し、フィードバック回路２４ｈからのフィードバック信号の入力が停止するとスイッチング素子２４ｃのスイッチング制御を行う。
【００３１】
状態切換回路２４ｉは、サブマイコン２２の指示に従って電源回路２４の状態を通常状態と待機状態と間で切換えることができる。状態切換回路２４ｉは、例えば、スイッチング制御部２４ｄに対するフィードバック信号の出力タイミングを調整することにより状態を切換え可能であり、待機状態では通常状態より低いフライバック電圧Ｖｆｌｙ１でフィードバック信号が出力されるようにフィードバック信号の出力タイミングを調整する。
具体的には、状態切換回路２４ｉは、ツェナダイオード２４ｉ１、トランジスタ２４ｉ２、並びに上述したフィードバック回路２４ｈにより構成することができる。ツェナダイオード２４ｉ１はアノードをグランドに接続されている。トランジスタ２４ｉ２はＮＰＮ型であり、ベースにはサブマイコン２２から状態切換信号が入力され、エミッタがツェナダイオード２４ｉ１のカソードに接続され、コレクタがツェナダイオード２４ｈ２のカソードに接続されている。ツェナダイオード２４ｉ１はツェナダイオード２４ｈ２よりも低電圧で降伏するようになっている。
なお、状態切換信号は、通常状態ではローレベルとされ、待機状態になるとハイレベルとされる。すなわち、トランジスタ２４ｉ２は、通常状態ではオンせず、待機状態ではオンする。その結果、通常状態ではツェナダイオード２４ｈ２の降伏電圧によってフィードバック信号の出力タイミングが決定され、待機状態ではツェナダイオード２４ｉ１の降伏電圧によってフィードバック信号の出力タイミングが決定される。
【００３２】
整流回路２４ｊは、補助的な２次巻線Ｃ２ｂから出力されるフライバック電圧Ｖｆｌｙ２を整流する回路であり、例えば、ダイオードで構成することができる。
【００３３】
反転整流回路２４ｋは、補助的な２次巻線Ｃ２ｂから出力されるフォワード電圧Ｖｆｏｒ２の電圧を正負反転させた後、整流する回路である。
具体的には、反転整流回路２４ｋは、電解コンデンサ２４ｋ１、ダイオード２４ｋ２、ダイオード２４ｋ３、電解コンデンサ２４ｋ４により構成することができる。電解コンデンサ２４ｋ１は、負極をサブ巻線の負極に接続されている。ダイオード２４ｋ２は、カソードを電解コンデンサ２４ｋ１の正極に接続され、アノードをグランドに接続されている。ダイオード２４ｋ３は、アノードを電解コンデンサ２４ｋ１の正極とダイオード２４ｋ２のカソードに接続されている。電解コンデンサ２４ｋ４は、正極をダイオード２４ｋ３のカソードとサブマイコンの電源端子に接続され、アノードをグランドに接続されている。
電解コンデンサ２４ｋ１は、フライバックトランス２４ｅの２次巻線Ｃ２ｂにフォワード電圧Ｖｆｏｒ２が発生している期間（フォワード期間）中にフォワード電圧Ｖｆｏｒ２を蓄積し、フライバックトランス２４ｅの２次巻線Ｃ２ｂにフライバック電圧Ｖｆｌｙ２が発生している期間（フライバック期間）に蓄積したフォワード電圧Ｖｆｏｒ２を放出する。
ダイオード２４ｋ２は、フォワード期間にグランドから電解コンデンサ２４ｋ１へ電荷を供給し、フライバック期間に電解コンデンサ２４ｋ１とグランドとの間を絶縁する。
ダイオード２４ｋ３は、フォワード期間に電解コンデンサ２４ｋ１とサブマイコン２２との間を絶縁し、フライバック期間に電解コンデンサ２４ｋ１に蓄積された電荷に基づく電圧をサブマイコン２２へ入力する。ダイオード２４ｋ３は整流作用も有する。
電解コンデンサ２４ｋ４は、電解コンデンサ２４ｋ１からサブマイコン２２へ入力される電圧を平滑する。
【００３４】
なお、フォワード電圧Ｖｆｏｒ２の電圧を正負反転させる反転整流回路２４ｋは、本実施形態において正負反転回路を構成する。また、本実施形態において、電解コンデンサ２４ｋ１は第１の電解コンデンサを構成し、ダイオード２４ｋ２は第１のダイオードを構成し、ダイオード２４ｋ３は第２のダイオードを構成し、電解コンデンサ２４ｋ４は第２の電解コンデンサを構成する。
【００３５】
以上説明した電源回路２４によれば、フライバックトランスの２次巻線よりフライバック電圧Ｖｆｌｙ１とフォワード電圧Ｖｆｏｒ２とを出力することができる。フライバック電圧Ｖｆｌｙ１は、メインマイコン２０等に対して供給されており、フォワード電圧Ｖｆｏｒ２は、サブマイコン２２に対して供給されている。フライバック電圧Ｖｆｌｙ１は、通常状態においては各構成の動作電圧以上となるように調整され、待機状態においては各構成の動作電圧未満となるように調整されている。電源回路２４から各構成へ供給される電源電圧は、レギュレータにより、各構成の動作電圧に適合するように低下させてから供給される。一方、フォワード電圧Ｖｆｏｒ２は、通常状態における電圧レベルを調整する必要はないが、待機状態においてはサブマイコン２２の動作電圧以上の電源電圧を出力するように調整されている。
【００３６】
また、以上説明した電源回路２４によれば、リモコン２６の操作入力に応じて、通常状態と当該通常状態よりも出力電圧が低下する待機状態とが切換わる。通常状態と待機状態におけるフライバック電圧Ｖｆｌｙ１は、前記のように調整されているため、電源回路２４から供給される電源電圧が動作電圧未満に低下すると各構成に対する電源電圧の供給が停止され、メインマイコン２０等は動作を停止する。その結果、これら構成における消費電力も０になる。また、待機状態におけるフォワード電圧Ｖｆｏｒ２は、前記のように調整されているため、サブマイコン２２は待機状態において動作する。
【００３７】
ここで、待機状態においてサブマイコン２２をフライバック電圧Ｖｆｌｙ１で駆動する場合とフォワード電圧Ｖｆｏｒ２で駆動する場合とを比較する。上述したように、待機状態においては、フィードバック回路２４ｈにおける閾値（ツェナダイオードの降伏電圧）が低くなり、トランス２４ｅの１次巻線Ｃ１の通電時間が短くなる。このとき、フライバック電圧Ｖｆｌｙ１の出力は通電時間に応じて低下するが、フォワード電圧Ｖｆｏｒ２の出力はほぼ一定に維持される。すなわち、フォワード電圧Ｖｆｏｒ２でサブマイコン２２を駆動することにより、フライバック電圧Ｖｆｌｙ１でサブマイコン２２を駆動する場合に比べて、トランス２４ｅの１次巻線Ｃ１の通電時間を大幅に短縮することができる。よって、待機状態における消費電力を削減することができる。
【００３８】
また、図３を参照し、フライバック電圧で負荷を駆動した場合とフォワード電圧で負荷を駆動した場合との電力変換効率を比較する。同図は、フライバック電圧で負荷を駆動した場合と、フォワード電圧で負荷を駆動した場合と、で負荷（抵抗値）を様々に変更した場合における、負荷に流れる電流値（ｍＡ）と電力変換効率ηの関係をプロットしたグラフである。
なお、電力変換効率ηは下記式（１）により算出される。下記式（１）において、Ｐ１は１次側に入力される電力を表し、Ｐ２は２次側に出力される電力を表している。
【数１】
2012182955.tif 000003
同図に示されるように、電源電圧の供給対象となる負荷に流れる電流が約１３．８ｍＡ以下の場合は、フライバック電圧を利用して生成した電源電圧を負荷に供給した方が効率が高く、電源電圧の供給対象となる負荷に流れる電流が約１３．８ｍＡより大きい場合は、フォワード電圧を利用して生成した電源電圧を負荷に供給する方が効率が高くなることが分かる。すなわち、待機状態において駆動される負荷に流れる電流が約１３．８ｍＡ以下の場合にフォワード電圧を利用すると、フライバック電圧を利用して負荷を駆動する場合に比べて電力変換効率が向上し、省電力に効果がある事が分かる。
【００３９】
（３）まとめ： 
以上説明したように本実施形態にかかるテレビジョン１００は、フライバックコンバーターとしての電源回路２４を備えており、通常状態では、フライバックトランスであるトランス２４ｅの２次巻線Ｃ２ａより出力されるフライバック電圧Ｖｆｌｙ１を利用して生成した電源電圧を負荷に供給し、待機状態では、トランス２４ｅの２次巻線ｃ２ｂより出力されるフォワード電圧Ｖｆｏｒ２を利用して生成した電源電圧を負荷に供給する。このように構成されたテレビジョン１００であれば、電源回路２４の回路規模を増大することなく、待機状態における消費電力を削減し、さらには年間消費電力の低減にも貢献することが可能となる。
【００４０】
なお、上述した実施形態では、通常状態においては、主たる２次巻線Ｃ２ａから出力されるフライバック電圧を利用してメインマイコン２０等を駆動し、待機状態においては、補助的な２次巻線Ｃ２ｂから出力されるフォワード電圧を利用してサブマイコン２２を駆動する場合を例にとって説明しているが、むろん、同じ２次巻線から出力されるフライバック電圧とフォワード電圧を使い分けても構わない。すなわち、通常状態においては、主たる２次巻線Ｃ２ａから出力されるフライバック電圧を利用してメインマイコン２０等を駆動し、待機状態においても、主たる２次巻線Ｃ２ａから出力されるフォワード電圧を利用してサブマイコン２２を駆動するようにしてもよい。
【００４１】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４２】
１０…チューナー、１２…映像処理部、１４…表示部、１６…音声処理部、１８…スピーカー、２０…メインマイコン、２２…サブマイコン、２４…電源回路、２４ａ…整流回路、２４ｂ…平滑回路、２４ｃ…スイッチング素子、２４ｄ…スイッチング制御部、２４ｅ…フライバックトランス、Ｃ１…１次巻線、Ｃ２ａ…２次巻線、Ｃ２ｂ…２次巻線、２４ｆ…整流回路、２４ｇ…平滑回路、２４ｈ…フィードバック回路、２４ｈ…フィードバック回路、２４ｈ１…フォトカプラ、２４ｈ２…ツェナダイオード、２４ｉ…状態切換回路、２４ｉ１…ツェナダイオード、２４ｉ２…トランジスタ、２４ｊ…整流回路、２４ｋ…反転整流回路、２４ｋ１…電解コンデンサ、２４ｋ２…ダイオード、２４ｋ３…ダイオード、２４ｋ４…電解コンデンサ、２６…リモコン、１００…テレビジョン、Ｖｆｌｙ１…フライバック電圧、Ｖｆｏｒ２…フォワード電圧
【図１】
2012182955.tif 000004
【図２】
2012182955.tif 000005
【図３】
2012182955.tif 000006